(57)【要約】【課題】販売時に見栄えを向上することができる揮散器を提供する。【解決手段】液状薬剤１３が収容された透明性を有する容器体１１と、該容器体１１の上部に取り付けられるキャップ１２とで構成し、キャップ１２で容器体１１の上面６２を覆う。前記容器体１１の前側面７１に第１〜第４段差８１〜８４を形成し、各段差８１〜８４を境とした一方側の面と他方側の面との間に外部の光を容器体１１内部に取り入れる第１〜第４採光面９１〜９４を形成する。そして、各採光面９１〜９４が上方へ向くように斜めに延設する。【選択図】図５
2007135857.tif 000002
【特許請求の範囲】
【請求項１】
液状薬剤が収容された透明性を有する容器体と、該容器体の上部に取り付けられるキャップとを備え、該キャップが前記容器体の上面を覆う揮散器において、
前記容器体の側面に段差を形成し、該段差を境とした一方側の面と他方側の面との間に外部の光を内部に取り入れる採光面を形成するとともに、該採光面が上方へ向くように設定したことを特徴とする揮散器。
【請求項２】
前記容器体を起立した状態で当該容器体を縦断する縦断線を仮想した際に、前記採光面を前記縦断線に対して斜めに延設したことを特徴とする請求項１記載の揮散器。
【請求項３】
前記採光面を複数設けたことを特徴とする請求項２記載の揮散器。
【請求項４】
前記縦断線に対して前記各採光面が成す角度を異なる角度に設定したことを特徴とする請求項３記載の揮散器。
【発明の詳細な説明】
【技術分野】
【０００１】
本発明は、液状薬剤を揮散させる揮散器に関する。
【背景技術】
【０００２】
従来、トイレや部屋を消臭する際には、液状薬剤を揮散する揮散器が用いられていた（例えば、特許文献１参照。）。
【０００３】
この揮散器は、前記液状薬剤を収容した容器体と、該容器体の上部に取り付けられるキャップとを備えている。前記容器体は、透明に形成されており、収容された液状薬剤の残量が見えるように構成されている。
【特許文献１】特開２００５−１７８８６４号公報
【発明の開示】
【発明が解決しようとする課題】
【０００４】
しかしながら、このような揮散器には、容器体の上部にキャップが嵌着されており、当該容器体の上面を構成するショルダー部が隠蔽されている。
【０００５】
このため、店頭販売時において、容器体内部へ差し込む光が前記キャップによって遮られてしまう。これにより、前記容器体内部が暗くなるという問題があった。
【０００６】
本発明は、このような従来の課題に鑑みてなされたものであり、販売時の見栄えを向上することができる揮散器を提供することを目的とするものである。
【課題を解決するための手段】
【０００７】
前記課題を解決するために本発明の請求項１の揮散器にあっては、液状薬剤が収容された透明性を有する容器体と、該容器体の上部に取り付けられるキャップとを備え、該キャップが前記容器体の上面を覆う揮散器において、前記容器体の側面に段差を形成し、該段差を境とした一方側の面と他方側の面との間に外部の光を内部に取り入れる採光面を形成するとともに、該採光面が上方へ向くように設定した。
【０００８】
すなわち、容器体の側面には、段差が形成されており、この段差によって外部の光を内部に取り入れる採光面が前記容器体の側面に形成されている。そして、この採光面は、上方へ向くように設定されている。
【０００９】
このため、店頭販売時において、照明からの光が前記採光面を介して容器体内へ取り込まれる。
【００１０】
また、請求項２の揮散器においては、前記容器体を起立した状態で当該容器体を縦断する縦断線を仮想した際に、前記採光面を前記縦断線に対して斜めに延設した。
【００１１】
すなわち、前記採光面は、容器体を縦断する縦断線に対して斜めに延設されている。このため、前記採光面は、上方へ向いた状態を維持しつつ、容器体の上部から下部へ向けて延設することができる。
【００１２】
さらに、請求項３の揮散器では、前記採光面を複数設けた。
【００１３】
これにより、光を取り入れる為の採光面積の増大が図られる。
【００１４】
加えて、請求項４の揮散器にあっては、前記縦断線に対して前記各採光面が成す角度を異なる角度に設定した。
【００１５】
すなわち、異なる角度に設定された採光面からは、異なる方向の光が入射される。
【発明の効果】
【００１６】
以上説明したように本発明の請求項１の揮散器においては、照明の光を前記容器体の側面に設けられた採光面から容器体内へ取り込むことができる。そして、容器体内に取り込まれた光が内部の液状薬剤で乱反射することによって、当該容器体を明るく見せることができる。
【００１７】
したがって、店頭販売時において、容器体の上面がキャップで覆われ容器体が暗くなり勝ちな本発明の揮散器であっても、見栄えを向上し店頭で目立たせることができ、販売促進に寄与することができるとともに、使用時においても商品のデザイン性を向上させることができる。
【００１８】
また、請求項２の揮散器においては、採光面を、容器体の縦断線に対して斜めに延設したので、前記採光面が上方を向いた状態を維持しつつ、容器体の上部から下部に渡って延設することができる。
【００１９】
これにより、光を取り入れる為の採光面積を増やすことができる。
【００２０】
さらに、請求項３の揮散器では、前記採光面を複数設けることによって、光を取り入れる為の採光面積のさらなる増大を図ることができる。
【００２１】
加えて、請求項４の揮散器にあっては、前記縦断線に対して前記各採光面が成す角度を異なる角度に設定したため、異なる方向の光を対応した採光面から垂直に入光することができる。
【００２２】
これにより、複数の照明からの光を、各照明に対向した採光面を介して効率良く取り入れることができる。
【発明を実施するための最良の形態】
【００２３】
以下、本発明の一実施の形態を図に従って説明する。図１〜図３は、本実施の形態にかかる揮散器１を示す図である。
【００２４】
この揮散器１は、容器体１１と、該容器体１１の上部に取り付けられる有色のキャップ１２とを備えており、前記容器体１１には、消臭液などからなる有色透明の液状薬剤１３が収容されている。なお、他の液状薬剤１３の例としては、芳香液、消臭剤、防臭液、防虫液、防カビ液等の１種若しくは２種以上を混合したものが挙げられる。この容器体１１の上部には、図４に示すように、円筒状の口部１４が設けられており、該口部１４には、使用時に取り外される外キャップ１５が螺着されている。
【００２５】
前記口部１４には、内キャップ２１が内嵌されており、該内キャップ２１の中央部には、棒状の芯材２２が保持されている。該芯材２２は、吸液性を有する繊維束によって形成されており、該芯材２２の下端部は、前記容器体１１の底部に達している。また、この芯材２２の上端部は、前記内キャップ２１を挿通しており、前記口部１４の上端より上方へ延出している。該口部１４の下端部には、鍔部２３が全周に渡って形成されており、該鍔部２３には、当該容器体１１の上部を覆う載置部２４が嵌着されている。
【００２６】
該載置部２４は、前記口部１４に固定された円筒状の固定部３１を備えており、該固定部３１上縁には、横長形状の載置面３２が前記固定部３１を中心として形成されている。この載置面３２の外周縁には、図１及び図２に示したように、前記容器体１１の周面３４に沿って延在する周壁部３５が連接されており、該周壁部３５には、複数の通気口３６，・・・が開設されている。この周壁部３５の上端には、図４に示したように、前記載置面３２より突出する突条３７が載置面３２の周縁に沿って形成されている。
【００２７】
前記載置面３２の左右側部には、対を成すガイド４１，４１が設けられている。各ガイド４１，４１は、内側へ向けて開口した開口形状に形成されており、上下方向に延設する長尺状に形成されている。両ガイド４１，４１の内側には、矩形状の揮散体４４を載置できるように構成されている。
【００２８】
前記揮散体４４は、吸液性を有するろ紙等によって所定の肉厚を有する板状に形成されており、当該揮散体４４の中央部には、前記外キャップ１５を外した状態で、前記芯材２２が当接するように構成されている。これにより、該芯材２２で吸い上げられた前記液状薬剤１３を前記揮散体４４に含浸させるとともに、当該揮散体４４より気化して揮散できるように構成されている。
【００２９】
前記載置部２４上には、図１及び図２に示したように、載置された前記揮散体４４を覆うカバー５１が設けられており、該カバー５１と前記載置部２４とよって前記容器体１１の上部を覆う前記キャップ１２が構成されている。前記カバー５１は、下方に開口した容器状に形成されており、前後面５２，５３及び天面５４には、図１〜図３に示したように、通気穴５５，・・・が開設されている。このカバー５１の左右側部には、図４に示したように、下方へ延出する一対の支柱部５６，５６が設けられており、各支柱部５６，５６は、前記載置部２４の各ガイド４１，４１に上下動自在に支持されている。
【００３０】
前記容器体１１は、図５にも示すように、無色透明の容器状に形成されており、前記液状薬剤１３の残存量を外側から確認できるように構成されている。この容器体１１は、底面６１と、該底面６１の縁部より起立した前記周面３４と、該周面３４の上部に架橋する上面６２とを備えており、該上面６２には、前記口部１４が設けられている。該口部１４の外周部には、ショルダー部６３が形成されており、該ショルダー部６３に前記キャップ１２の前記載置部２４下縁が外嵌するように構成されている。これにより、当該容器体１１の前記上面６２は、図１〜図３に示したように、前記キャップ１２によって覆われている。
【００３１】
この容器体１１の前記周面３４は、図６にも示すように、前側面７１と、該前側面７１の左縁に連設された左側面７２と、該左側面７２に連設された後側面７３と、該後側面７３に連設された右側面７４とによって構成されており、前記前側面７１は、前方へ向けて膨出した断面円弧状に形成されている。
【００３２】
この前側面７１には、図５に示したように、第１〜第４段差８１〜８４が形成されている。各段差８１〜８４は、起立した容器体１１の上方から下方へ向かうに従って左方へ向けて傾斜するように延設されているとともに、斜め下方へ突出した緩やかな円弧状に形成されている。
【００３３】
前記第１段差８１は、前記前側面７１の左上側に形成されており、左上から左側面７２側へ向けて延設されている。前記第２段差８２は、前記第１段差８１より右方に形成されており、当該前壁面７１の上部中央付近から前記左側面７２側へ向けて延設されている。前記第３段差８３は、前記第２段差８２より右方に形成されており、当該前側面７１の中心線を横切るとともに、当該前壁面７１の上部から下部に渡って形成されている。前記第４段差８４は、前記第３段差８３より右方に形成されており、当該前壁面７１の右上角から下部中央部に渡って形成されている。
【００３４】
前記各段差８１〜８４を境とした一方側の面と他方側の面との間には、図６にも示すように、外部の光を当該容器体１１内部に取り入れる為の第１〜第４採光面９１〜９４が形成されている。これらの採光面９１〜９４は、外側に突出した湾曲状の前壁面７１に形成されており、各採光面９１〜９４への垂線が前壁面７１と重ならないように構成されている。
【００３５】
各採光面９１〜９４は、図５に示したように、前記容器体１１を起立した状態で当該容器体１１を縦断する縦断線Ｚを仮想した際に、該縦断線Ｚに対して斜めに延設されており、各採光面９１〜９４は、上方へ向くように設定されている。
【００３６】
前記縦断線Ｚに対して前記各採光面９１〜９４が成す角度１０１〜１０４は、それぞれ異なる角度に設定されており、各採光面９１〜９４への垂線が異なる方向へ向けて延在するように構成されている。そして、各採光面９１〜９４は、その中央部が斜め下方へ向けて膨出した緩やかな円弧状に形成されている。
【００３７】
以上の構成にかかる本実施の形態において、前記容器体１１の前側面７１には、第１〜第４段差８１〜８４が形成されており、各段差８１〜８４によって外部の光を容器体１１内部に取り入れる第１〜第４採光面９１〜９４が形成されている。そして、各採光面９１〜９４は、斜め上方へ向くように設定されている。
【００３８】
このため、店頭販売時において、照明からの光を前記各採光面９１〜９４を介して、当該容器体１１内に取り込むことができる。そして、容器体１１内に取り込まれた光が内部の液状薬剤１３で乱反射することによって、当該容器体１１を明るく見せることができる。
【００３９】
したがって、店頭販売時において、前記容器体１１の上面６２がキャップ１２で覆われ、容器体１１が暗くなり勝ちな本実施の形態の揮散器１であっても、見栄えを向上し店頭で目立たせることができ、販売促進に寄与することができるとともに、使用時においても商品のデザイン性を向上させることができる。
【００４０】
また、前記各採光面９１〜９４を、前記容器体１１の縦断線Ｚに対して斜めに延設したため、前記各採光面９１〜９４が照明方向である上方を向いた状態を維持しつつ、例えば第３及び第４採光面９３，９４のように容器体１１の上部から下部に渡って延設することができる。
【００４１】
これにより、光を取り入れる為の採光面積を増やすことができる。
【００４２】
加えて、前記各採光面９１〜９４を複数設けることによって、光を取り入れる為の採光面積のさらなる増大を図ることができる。
【００４３】
そして、本実施の形態では、前記縦断線Ｚに対して前記各採光面９１〜９４が成す角度１０１〜１０４を異なる角度に設定したため、異なる方向の光を対応した採光面９１〜９４から垂直に入光することができる。
【００４４】
これにより、照明が複数箇所に設けられた店頭において、複数の照明からの光を、各照明に対向した採光面９１〜９４を介して効率良く取り入れることができる。
【図面の簡単な説明】
【００４５】
【図１】本発明の一実施の形態を示す正面図である。
【図２】同実施の形態の側面図である。
【図３】同実施の形態の平面図である。
【図４】同実施の形態の容器体を示す正面図である。
【図５】同実施の形態の要部の縦断面図である。
【図６】図１のＡ−Ａ線に沿った断面図である。
【符号の説明】
【００４６】
１    揮散器
１１    容器体
１２    キャップ
１３    液状薬剤
６２    上面
７１    前側面
８１    第１段差
８２    第２段差
８３    第３段差
８４    第４段差
Ｚ    縦断線
９１    第１採光面
９２    第２採光面
９１    第１採光面
９２    第２採光面
【図１】
2007135857.tif 000003
【図２】
2007135857.tif 000004
【図３】
2007135857.tif 000005
【図４】
2007135857.tif 000006
【図５】
2007135857.tif 000007
【図６】
2007135857.tif 000008